【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
先幕と後幕とを備えるシャッターと、
前記先幕を開状態から閉状態にし、前記後幕を閉状態から開状態にするよう前記シャッターを駆動するシャッター駆動手段と、
電磁力を用いて、前記先幕を閉状態に保持する先幕用ソレノイドと、
電磁力を用いて、前記後幕を開状態に保持する後幕用ソレノイドと、
機械的に前記後幕又は／及び前記先幕を開状態に保持可能な保持手段と、
前記シャッターが開状態で、前記シャッターを通過した被写体像を撮像し、画像データを生成する撮像手段と、
前記撮像手段で生成された画像データに所定の処理を施した画像データに基づく画像を表示する表示手段と、
前記保持手段により前記後幕を開状態に保持させるとともに、前記先幕を開状態にした状態において、前記撮像手段に入射される被写体像に基づいて生成された画像データを、動画像として前記表示手段に表示させるよう制御する制御手段と、
被写体像を光学式ビューファインダーへ導くために、撮像光学系の光路内に対して進退自在に配される可動ミラーと、
前記可動ミラーを光路内に対して進退させるために揺動させるミラー駆動手段と、
前記ミラー駆動手段と前記シャッター駆動手段の駆動源となるモータと、
前記モータの回転駆動に連動して前記ミラー駆動手段及び前記シャッター駆動手段を駆動制御する駆動機構とを備え、
前記駆動機構は、
前記可動ミラーが光路内に位置するように前記ミラー駆動手段を駆動制御するファインダービューモードと、前記可動ミラーを光路外へ退避させるように前記ミラー駆動手段を駆動制御するライブビューモードとに、選択的に移行可能であり、
前記シャッター保持手段は、
前記ファインダービューモードにおいて、前記後幕を開状態に保持させるとともに、前記先幕を開状態にした状態にする、撮像装置。
【請求項２】
前記駆動機構は、
前記ミラー駆動手段を駆動制御するミラー駆動用カムと、
前記シャッター駆動手段を駆動制御するシャッター駆動用カムとを備え、
本装置が撮影命令を受け付けた時、前記モータによる一方向への回転によって前記ミラー駆動用カム及び前記シャッター駆動用カムが一方向へ回転し、前記ミラー駆動用カムが前記可動ミラーを揺動させるよう前記ミラー駆動手段を制御するとともに、前記シャッター駆動用カムが前記シャッターを開閉駆動させるよう前記シャッター駆動手段を制御する、請求項１記載の撮像装置。
【請求項３】
前記駆動機構は、
前記ミラー駆動用カム及び前記シャッター駆動用カムの回転範囲内に、前記可動ミラーを光路内に位置させかつ前記先幕及び前記後幕を開状態で保持する第１の停止位置と、前記可動ミラーを光路内から退避させかつ前記先幕及び前記後幕を開状態で保持する第２の停止位置と、前記可動ミラーを光路内から退避させかつ前記先幕及び前記後幕を閉状態で保持する第３の停止位置と、を有し、
前記第１の停止位置から前記第２の停止位置へ移動する第１の動作期間において、前記可動ミラーを光路外へ退避させ、前記先幕及び前記後幕を開状態で保持する動作を行い、
前記第２の停止位置から前記第３の停止位置へ移動する第２の動作期間において、前記可動ミラーを光路外へ退避させている状態を保持し、前記先幕及び前記後幕を閉状態へ移行させ、
前記第３の停止位置から前記第１の停止位置へ戻る第３の動作期間において、前記撮像手段における露光動作を行い、露光終了後に前記可動ミラーを光路内へ進入させ、前記先幕及び前記後幕を開状態へ移行させる、請求項２記載の撮像装置。
【請求項４】
前記駆動機構は、
前記ミラー駆動用カム及び前記シャッター駆動用カムの回転範囲内に、前記可動ミラーを光路内に位置させかつ前記先幕及び前記後幕を開状態で保持する第１の停止位置と、前記可動ミラーを光路内から退避させかつ前記先幕及び前記後幕を開状態で保持する第２の停止位置と、前記可動ミラーを光路内から退避させかつ前記先幕及び前記後幕を閉状態で保持する第３の停止位置と、を有し、
前記第１の停止位置から前記第２の停止位置を介して前記第３の停止位置へ移動する第４の動作期間において、前記可動ミラーを光路外へ退避させ、前記先幕及び前記後幕を開状態で保持する動作を行い、前記可動ミラーを光路外へ退避させている状態を保持し、前記先幕及び前記後幕を閉状態へ移行させ、
前記第３の停止位置から前記第１の停止位置へ戻る第３の動作期間において、前記撮像手段における露光動作を行い、露光終了後に前記可動ミラーを光路内へ進入させ、前記先幕及び前記後幕を開状態へ移行させることが可能であり、
前記第４の動作期間は、前記第２の停止位置に停止することなく前記第１の停止位置から前記第３の停止位置へ移動させる、請求項２記載の撮像装置。
【請求項５】
前記駆動機構は、
前記ミラー駆動用カム及び前記シャッター駆動用カムの回転範囲内に、前記可動ミラーを光路内に位置させかつ前記先幕及び前記後幕を開状態で保持する第１の停止位置と、前記可動ミラーを光路内から退避させかつ前記先幕及び前記後幕を開状態で保持する第２の停止位置と、前記可動ミラーを光路内から退避させかつ前記先幕及び前記後幕を閉状態で保持する第３の停止位置と、を有し、
前記第２の停止位置から前記第３の停止位置へ移動する第２の動作期間において、前記可動ミラーを光路外へ退避させている状態を保持し、前記先幕及び前記後幕を閉状態へ移行させ、
前記第３の停止位置から前記第１の停止位置を介して前記第２の停止位置へ戻る第５の動作期間において、前記撮像手段における露光動作を行い、露光終了後に前記可動ミラーを光路内へ進入させ、前記先幕及び前記後幕を開状態へ移行させ、前記可動ミラーを光路外へ退避させ、前記先幕及び前記後幕を開状態で保持することが可能であり、
前記第５の動作期間は、前記第１の停止位置で停止することなく前記第３の停止位置から前記第２の停止位置へ移動させる、請求項２記載の撮像装置。
【請求項６】
前記駆動機構は、
前記ミラー駆動用カム及び前記シャッター駆動用カムの回転範囲内に、前記可動ミラーを光路内に位置させかつ前記先幕及び前記後幕を開状態で保持する第１の停止位置と、前記可動ミラーを光路内から退避させかつ前記先幕及び前記後幕を開状態で保持する第２の停止位置と、前記可動ミラーを光路内から退避させかつ前記先幕及び前記後幕を閉状態で保持する第３の停止位置とを有し、
本装置が撮影命令を受け付けると、
前記第１の停止位置から前記第２の停止位置を介して前記第３の停止位置へ移動する第４の動作期間において、前記ミラー制御手段を制御して前記可動ミラーを光路内から退避させる動作と、前記シャッター駆動手段を制御して前記先幕及び前記後幕を閉状態へ移行させる動作とを行い、
前記第３の停止位置から前記第１の停止位置へ移動する第３の動作期間において、前記撮像手段における露光動作を行い、露光終了後に前記ミラー制御手段を制御して前記可動ミラーを光路内へ進入させる動作と、前記シャッター駆動手段を制御して前記先幕及び前記後幕を開状態へ移行させる動作とを行う、請求項２記載の撮像装置。
【請求項７】
前記駆動手段は、
前記第２の停止位置から前記第３の停止位置へ移動する第２の動作期間と、前記第１の停止位置で停止することなく前記第３の停止位置から前記第２の停止位置へ移動する第５の動作期間とを備え,
本装置がファインダービューモードの時に撮影命令を受け付けると、前記第１の停止位置から前記第４の動作期間を介して前記第３の停止位置へ移動させ、前記第３の停止位置から前記第３の動作期間を介して前記第１の停止位置へ移動させるよう制御し、
本装置がライブビューモードの時に撮影命令を受け付けると、前記第２の停止位置から前記第２の動作期間を介して前記第３の停止位置へ移動させ、前記第３の停止位置から前記第５の動作期間を介して前記第２の停止位置へ移動させるよう制御する、請求項６記載の撮像装置。
【請求項８】
前記駆動機構は、
前記第１の動作期間、前記第２の動作期間、前記第３の動作期間のうち全てまたは一部を含む一連の動作期間において、前記可動ミラーを光路内に一回進入させるよう前記ミラー制御手段を制御する、請求項３記載の撮像装置。
【請求項９】
前記駆動機構は、
前記第３の動作期間、前記第４の動作期間のうち全てまたは一部を含む一連の動作期間において、前記可動ミラーを光路内に一回進入させるよう前記ミラー制御手段を制御する、請求項４記載の撮像装置。
【請求項１０】
前記駆動機構は、
前記第２の動作期間、前記第５の動作期間のうち全てまたは一部を含む一連の動作期間において、前記可動ミラーを光路内に一回進入させるよう前記ミラー制御手段を制御する、請求項５記載の撮像装置。
【請求項１１】
前記駆動機構は、
前記第３の動作期間、前記第４の動作期間のうち全てまたは一部を含む一連の動作期間において、前記可動ミラーを光路内に一回進入させるよう前記ミラー制御手段を制御する、請求項６記載の撮像装置。
【請求項１２】
前記駆動機構は、
前記第２の動作期間、前記第３の動作期間、前記第４の動作期間、前記第５の動作期間のうち全てまたは一部を含む一連の動作期間において、前記可動ミラーを光路内に一回進入させるよう前記ミラー制御手段を制御する、請求項７記載の撮像装置。
【請求項１３】
前記ミラー駆動用カムと前記シャッター駆動用カムとは、一体的に形成されている、請求項２記載の撮像装置。
【手続補正２】
【補正対象書類名】明細書
【補正対象項目名】０００９
【補正方法】変更
【補正の内容】
【０００９】
本発明の撮像装置は、先幕と後幕とを備えるシャッターと、前記先幕を開状態から閉状態にし、前記後幕を閉状態から開状態にするよう前記シャッターを駆動するシャッター駆動手段と、電磁力を用いて、前記先幕を閉状態に保持する先幕用ソレノイドと、電磁力を用いて、前記後幕を開状態に保持する後幕用ソレノイドと、機械的に前記後幕又は／及び前記先幕を開状態に保持可能な保持手段と、前記シャッターが開状態で、前記シャッターを通過した被写体像を撮像し、画像データを生成する撮像手段と、前記撮像手段で生成された画像データに所定の処理を施した画像データに基づく画像を表示する表示手段と、前記保持手段により前記後幕を開状態に保持させるとともに、前記先幕を開状態にした状態において、前記撮像手段に入射される被写体像に基づいて生成された画像データを、動画像として前記表示手段に表示させるよう制御する制御手段と、被写体像を光学式ビューファインダーへ導くために、撮像光学系の光路内に対して進退自在に配される可動ミラーと、前記可動ミラーを光路内に対して進退させるために揺動させるミラー駆動手段と、前記ミラー駆動手段と前記シャッター駆動手段の駆動源となるモータと、前記モータの回転駆動に連動して前記ミラー駆動手段及び前記シャッター駆動手段を駆動制御する駆動機構とを備えている。前記駆動機構は、前記可動ミラーが光路内に位置するように前記ミラー駆動手段を駆動制御するファインダービューモードと、前記可動ミラーを光路外へ退避させるように前記ミラー駆動手段を駆動制御するライブビューモードとに、選択的に移行可能である。前記シャッター保持手段は、前記ファインダービューモードにおいて、前記後幕を開状態に保持させるとともに、前記先幕を開状態にした状態にするものである。